(57)【特許請求の範囲】
【請求項１】
操作部を備えた電子部品周りの水滴の浸入を防ぐ電子部品の防滴構造であって、上記電子部品は、電子機器の筐体に設けた開口部に上記操作部を露出して搭載され、上記操作部とその回転によって受動回転するローラとを備えた操作機能部とその操作機能部から隙間を空けて配された上記ローラの回転状態を検出する検出機能部とを備えたものであって、上記操作機能部を凹部内に収容して上記操作機能部と上記検出機能部との間に配され、上記凹部を構成する外周壁上面に突部が周設された弾性部材からなる収容体が、上記筐体の開口部の外周下面に周設された溝部に上記突部が係合されて上記筐体に密着挟持されていることを特徴とする電子部品の防滴構造。
【請求項２】
電子部品の操作機能部に位置決め突起を設け、その位置決め突起が収容体の凹部内に設けた内側窪み部に係止されて上記操作機能部が上記収容体の凹部内で位置決めされていることを特徴とする請求項１記載の電子部品の防滴構造。
【請求項３】
上方開口の収容部を有し、その収容部を構成する側壁の内面に係止突起を備えた絶縁樹脂製の取付台が新たに用意され、上記収容部内に検出機能部が実装されたＦＰＣが配され、そのＦＰＣ上に操作機能部を収容した収容体が配され、その収容体の外側壁に設けられた係止凹部に上記係止突起が係合状態になされて、操作機能部と検出機能部とを一体化した電子部品としていることを特徴とする請求項１記載の電子部品の防塵構造。
【請求項４】
収容体の外周壁上端に水平外方に向けて突出した鍔状部が周設され、上記外周壁上面の突部が、上記鍔状部側の上面に周設されて、取付台の側壁上面が上記鍔状部を筐体に密着挟持するようになされていることを特徴とする請求項３記載の電子部品の防塵構造。
【請求項５】
取付台の収容部を形成する側壁に導出口を設け、検出機能部が実装されたＦＰＣの導出部が上記導出口から上記取付台の外方に導出されていることを特徴とする請求項３記載の電子部品の防滴構造。
【発明の詳細な説明】
【技術分野】
【０００１】
本発明は、各種電子機器の筐体に設けられた開口部に操作部を露出して搭載される電子部品の防滴構造に関するものである。
【背景技術】
【０００２】
携帯電話やＰＤＡ等に代表されるような各種電子機器において、筐体の開口部に露出した操作部を回転操作や押圧操作して電子機器を制御する電子部品が多く用いられるようになってきており、電子機器の携帯性から筐体の開口部からの防滴構造が求められている。
【０００３】
このような従来の電子部品として、ジョグボールを例としてその防滴構造について、図７〜図１１を用いて説明する。
【０００４】
図７は従来のジョグボールの防滴構造が適用された電子機器の要部断面図、図８は同分解斜視図、図９は同ジョグボールの操作機能部の分解斜視図である。
【０００５】
図９において、１は中央に円形孔１Ａを有し、上面視十字形で４方向の側方に突出した突出部１Ｂを備えた絶縁樹脂製の下ケースで、一端が円形孔１Ａの側壁に埋設固定され、他端の押圧部２Ａが円形孔１Ａの中央に位置した片持ち状の板バネ２を備え、後述する配線基板５１上への位置決め用として下ケース１裏面に円形孔１Ａを中心とする点対称位置の２ヶ所に位置決めボス１Ｃが突設されている。そして、側方に突出した対向する１組の突出部１Ｂの突出方向先端面中央には、係止突起１Ｄがそれぞれ設けられ、残りの対向する１組の突出部１Ｂの突出方向先端面には、係止段部１Ｅがそれぞれ設けられている。
【０００６】
３は円柱状で、一端に軸心が同一の円筒形状の磁石４を備えたローラで、４つのローラ３が下ケース１の各突出部１Ｂ上にそれぞれ載置され、その軸線は各突出部１Ｂの突出方向に直交する方向にそれぞれ向けられ、磁石４は隣合う突出部１Ｂで挟まれた４ヶ所の角部となる空間部分にそれぞれ位置している。なお、この磁石４には円周方向に磁極が交互に着磁されている。
【０００７】
そして、５は球形状のボールで、下ケース１の円形孔１Ａに位置した板バネ２の押圧部２Ａ上に載置されている。
【０００８】
６は中央に上記ボール５より小径になされた上方円形孔６Ａを有し、下ケース１の突出部１Ｂに対応した４方向の側方に突出した突出部６Ｂを備えた上ケースで、それら各突出部６Ｂの下面両側には下方開口の鉤状部６Ｃが設けられ、この鉤状部６Ｃの下方開口部分と下ケース１の突出部１Ｂ上面との間で、上記各ローラ３は回転可能に収納保持されている。
【０００９】
７は上ケース６の上方から突出部６Ｂの上面に重ねて配された金属板製のカバーで、下ケース１および上ケース６の突出部１Ｂ，６Ｂの方向の側端部位置から対向状態に垂下した一対の第一脚部８と一対の第二脚部９を備えている。第一脚部８の先端部には貫通角孔８Ａが設けられ、第二脚部９の下端には係止爪９Ａが設けられている。
【００１０】
そして、第一脚部８は下ケース１の突出部１Ｂの突出方向先端面中央に設けられた係止突起１Ｄが先端部の貫通角孔８Ａに嵌合係止され、第二脚部９は下ケース１の残りの突出部１Ｂの突出方向先端面に設けられた係止段部１Ｅに係止爪９Ａがかしめられて、下ケース１、ローラ３、ボール５、上ケース６が一体に構成された操作機能部となされている。この操作機能部は、上ケース６の上方円形孔６Ａから突出したボール５が、その表面に指等で触って回転操作および押圧操作可能に保持されたものとなっている。
【００１１】
図７〜図８において、５１は図示しない所定の配線パターンが設けられた配線基板で、この配線基板５１上面に、押圧操作されてスイッチが機能する被押圧部５３Ａを備えたプッシュスイッチ５３が実装されており、そのプッシュスイッチ５３を中心として所定距離離れた等角度位置に磁界の変化を検出する検出機能部としての検出素子５２が４ヶ所に実装されている。また、プッシュスイッチ５３を中心とする点対称位置の２ヶ所に位置決め用孔５１Ａが設けられている。
【００１２】
そして、５４は下面に図示しない粘着剤を備えた絶縁フィルムからなる防滴用の矩形状の保護シートで、４ヶ所の上記検出素子５２を含み、その範囲より大きい範囲を覆って配線基板５１上に粘着され、配線基板５１に設けられた位置決め用孔５１Ａに対応する位置の２ヶ所に貫通孔５４Ａが設けられている。
【００１３】
この保護シート５４の上方から上記説明の操作機能部が配線基板５１上に配置されている。この状態で、下ケース１裏面の２ヶ所の位置決めボス１Ｃが保護シート５４の貫通孔５４Ａを介して位置決め用孔５１Ａ内に挿入され、各ローラ３の一端に配された磁石４は隙間を空けて下方位置の検出素子５２と対峙状態に各々位置し、下ケース１の板バネ２の押圧部２Ａは隙間を有して下方のプッシュスイッチ５３の被押圧部５３Ａ上に位置している。
【００１４】
そして、電子機器の筐体６１下面がカバー７の上面に当接し、筐体６１に設けられた開口部６１Ａから操作機能部のボール５上面が突出状態にジョグボールが搭載されている。
【００１５】
以上のように構成並びに搭載された従来のジョグボールにおいて、その動作を説明する。
【００１６】
まず、指先等で軽くボール５の露出面をなぞって、ボール５を回転させると、図１０に示すように、ボール５はその回転方向に位置したローラ３のみに当接状態となり、ボール５の回転に伴ってローラ３が受動回転する。そして、回転されたローラ３の一端に備えられた磁石４が一体となって共回りし、磁石４の下方に隙間を空けて配された検出素子５２が、磁石４の回転に伴う磁界の変化を検出して所定の電気信号を出力する。
【００１７】
なお、ローラ３は４方向に配置されているので、ボール５の任意の回転方向が検出できるようになっている。
【００１８】
次に、ボール５に下方への押圧力を加えると、図１１に示すように、ボール５を載せた板バネ２が下方に撓んで、その押圧部２Ａがプッシュスイッチ５３の被押圧部５３Ａを押し下げてスイッチが動作する。
【００１９】
そして、ボール５に加えていた押圧力を除くと、プッシュスイッチ５３自身の復元力により被押圧部５３Ａが元の位置に戻り、片持ち状の板バネ２も自身の復元力でボール５を上ケース６の上方円形孔６Ａ内の上端へ付勢状態にして図７に示す元の操作されていない標準状態に戻る。
【００２０】
このボール５の上下動作では、ボール５はローラ３に接触しないため、ローラ３は回転しない。
【００２１】
なお、この出願の発明に関連する先行技術文献情報としては、例えば、特許文献１が知られている。
【先行技術文献】
【特許文献】
【００２２】
【特許文献１】特開２００８−１２３９０４号公報
【発明の概要】
【発明が解決しようとする課題】
【００２３】
しかしながら上記従来のジョグボールの防滴構造においては、指等でボール５を押圧したり回転させたりした際に、ボール５と上ケース６の上方円形孔６Ａとの間に生じる隙間から水滴等の液体が浸入することがあり、その浸入した水滴等が下方に移動して保護シート５４上面に至るが、その量によっては保護シート５４で覆われていない配線基板５１の上面まで至り、電子機器の誤動作等の恐れがあるという課題があった。
【００２４】
本発明は、このような従来の課題を解決するものであり、電子機器筐体の開口部から操作部を露出して搭載される電子部品において、開口部から浸入する水滴等が電子機器内部の電気回路内に及ぶことを防止することができる電子部品の防滴構造を提供することを目的とする。
【課題を解決するための手段】
【００２５】
上記目的を達成するために本発明は、以下の構成を有するものである。
【００２６】
本発明の請求項１に記載の発明は、操作部を備えた電子部品周りの水滴の浸入を防ぐ電子部品の防滴構造であって、上記電子部品は、電子機器の筐体に設けた開口部に上記操作部を露出して搭載され、上記操作部とその回転によって受動回転するローラとを備えた操作機能部とその操作機能部から隙間を空けて配された上記ローラの回転状態を検出する検出機能部とを備えたものであって、上記操作機能部を凹部内に収容して上記操作機能部と上記検出機能部との間に配され、上記凹部を構成する外周壁上面に突部が周設された弾性部材からなる収容体が、上記筐体の開口部の外周下面に周設された溝部に上記突部が係合されて上記筐体に密着挟持されていることを特徴とする電子部品の防滴構造としたものであり、開口部外周下面の溝部に収容体の突部が係合して密着挟持されているので、収容体を境として、電子機器の外部と内部とが仕切られ、開口部から浸入した水滴等が内部の電気回路部分等に及ぶことを防止することができる電子部品の防滴構造を提供することができるという作用を有する。
【００２７】
請求項２に記載の発明は、請求項１記載の発明において、電子部品の操作機能部に位置決め突起を設け、その位置決め突起が収容体の凹部内に設けた内側窪み部に係止されて上記操作機能部が上記収容体の凹部内で位置決めされていることを特徴とするものであり、請求項１記載の発明による作用に加えて、収容体の凹部内に配される操作機能部の位置決めが簡易に実現できると共に、収容体と操作機能部を一体化して取り扱いを容易にすることができるという作用を有する。
【００２８】
請求項３に記載の発明は、請求項１記載の発明において、上方開口の収容部を有し、その収容部を構成する側壁の内面に係止突起を備えた絶縁樹脂製の取付台が新たに用意され、上記収容部内に検出機能部が実装されたＦＰＣが配され、そのＦＰＣ上に操作機能部を収容した収容体が配され、その収容体の外側壁に設けられた係止凹部に上記係止突起が係合状態になされて、操作機能部と検出機能部とを一体化した電子部品としていることを特徴とするものであり、請求項１記載の発明による作用に加えて、機械的な加工を施すことなく電子部品の構成部材全てを一体化したので、電子部品としての取り扱いが容易にできるという作用を有する。
【００２９】
請求項４に記載の発明は、請求項３記載の発明において、収容体の外周壁上端に水平外方に向けて突出した鍔状部が周設され、上記外周壁上面の突部が、上記鍔状部側の上面に周設されて、取付台の側壁上面が上記鍔状部を筐体に密着挟持するようになされていることを特徴とするものであり、請求項３記載の発明による作用に加えて、弾性を備えた収容体の鍔状部を筐体と取付台の側壁上面とで密着挟持するのみで、密閉性をより確実にしたものにできるという作用を有する。
【００３０】
請求項５に記載の発明は、請求項３記載の発明において、取付台の収容部を形成する側壁に導出口を設け、検出機能部が実装されたＦＰＣの導出部が上記導出口から上記取付台の外方に導出されていることを特徴とするものであり、請求項３記載の発明による作用に加えて、検出機能部の信号導出および外方の回路との接続が容易にできるという作用を有する。
【発明の効果】
【００３１】
以上のように本発明によれば、電子機器筐体の開口部から操作部を露出して搭載される電子部品において、開口部から浸入する水滴等が電子機器内部の電気回路部分に浸入することを防止することができる電子部品の防滴構造を実現することができるという有利な効果が得られる。
【図面の簡単な説明】
【００３２】
【図１】本発明の一実施の形態によるジョグボールの防滴構造が適用された電子機器の要部断面図
【図２】同ジョグボールの外観斜視図
【図３】同ジョグボールの分解斜視図
【図４】同ジョグボールの操作機能部の分解斜視図
【図５】同操作機能部と収容体、並びにＦＰＣと取付台が組み合わされた状態の分解斜視図
【図６】図５の状態の逆方向からの外観斜視図
【図７】従来のジョグボールの防滴構造が適用された電子機器の要部断面図
【図８】同分解斜視図
【図９】同ジョグボールの操作機能部の分解斜視図
【図１０】同回転操作時の要部断面図
【図１１】同押圧操作時の要部断面図
【発明を実施するための形態】
【００３３】
以下、本発明の実施の形態について、図１〜図６を用いて説明する。
【００３４】
なお、従来の技術の項で説明した構成と同一構成の部分には同一符号を付して、詳細な説明を簡略化する。
【００３５】
また、電子部品として従来のものと同じく、ジョグボールを例として実施の形態を説明する。
【００３６】
（実施の形態）
図１は本発明の一実施の形態によるジョグボールの防滴構造が適用された電子機器の要部断面図、図２は同ジョグボールの外観斜視図、図３は同ジョグボールの分解斜視図、図４は同ジョグボールの操作機能部の分解斜視図、図５は同操作機能部と収容体、並びにＦＰＣと取付台が組み合わされた状態の分解斜視図、図６は図５の状態の逆方向からの分解斜視図である。
【００３７】
まず、図２〜図６により、ジョグボールについて説明する。
【００３８】
同図において、１は中央に円形孔１Ａを有し、上面視十字形に側方に突出した突出部１Ｂを４方向に備えた下ケースで、上記円形孔１Ａの側壁から突出し、先端部の押圧部２Ａを円形孔１Ａの中央に位置した片持ち状の板バネ２を備え、対向する１組の突出部１Ｂの突出方向先端面中央には係止突起１Ｄが設けられ、残りの対向する１組の突出部１Ｂの突出方向先端面には係止段部１Ｅが設けられている。また、裏面の２ヶ所に位置決めボス１Ｃが突設されている。
【００３９】
そして、上記各突出部１Ｂの上に、軸心が同一で円周方向に磁極が交互に着磁された円筒形状の磁石４を一端に備えた略円柱形状のローラ３がそれぞれ載置され、磁石４は、下ケース１の隣合う突出部１Ｂで挟まれた空間部分にそれぞれ位置し、操作部としての球形状のボール５が板バネ２の押圧部２Ａ上に載置されている。
【００４０】
２１は中央にボール５より小径の上方円形孔２１Ａを有し、下ケース１の突出部１Ｂに対応した側方に突出した突出部２１Ｂを４方向に備え、その突出部２１Ｂそれぞれの両側に下方開口の鉤状部２１Ｃを有した上ケース２１で、上方円形孔２１Ａ内にボール５を位置し、下ケース１と上ケース２１の突出部１Ｂ，２１Ｂどうしの位置を合わせ、鉤状部２１Ｃの下方開口部分と下ケース１の突出部１Ｂ上面との間で、上記各ローラ３を回転可能に収納保持して下ケース１上に組み合わされている。また、この上ケース２１の対向する１組の突出部２１Ｂに設けられた鉤状部２１Ｃのそれぞれには、突出方向先端面の中間位置に位置決め突起２１Ｄが突設されている。
【００４１】
そして、上ケース２１の上方から金属板製のカバー７が重ねられ、対向する側端部位置から垂下した一対の第一脚部８が、上ケース２１の対応する突出部２１Ｂ両側の鉤状部２１Ｃ間に位置され、第一脚部８先端部の貫通角孔８Ａが下ケース１の係止突起１Ｄに嵌合係止されている。また、第一脚部８が設けられた方向に直交した方向の側端部位置から垂下した一対の第二脚部９が、同様に上ケース２１の対応する突出部２１Ｂの鉤状部２１Ｃ間に位置され、第二脚部９下端の係止爪９Ａが下ケース１の係止段部１Ｅに曲げカシメされて、下ケース１、ローラ３、ボール５、上ケース２１が一体に構成された操作機能部となされている。
【００４２】
この操作機能部は、上ケース２１の上方円形孔２１Ａから突出したボール５を、その表面に指等で触って回転操作および押圧操作可能に保持したものとなっている。なお、このように一体に構成された操作機能部において、ボール５は板バネ２のバネ弾性力で上方に付勢されて、ローラ３とは隙間を空けた状態で位置している。
【００４３】
以上のように構成された操作機能部は、上ケース２１の鉤状部２１Ｃ外側面に位置決め突起２１Ｄが追加して突設されている部分を除いて従来のものと同様である。
【００４４】
２２は上方開口の凹部を有し、シリコンゴム等からなる弾性を備えた箱型の収容体で、凹部を構成する外周壁上端に水平方向外方に向けて突出した鍔状部２２Ａが全周に周設され、その鍔状部２２Ａ上面上に突部２２Ｂが全周に周設されている。また、上記操作機能部の上ケース２１の位置決め突起２１Ｄ位置に対応して、対向する一対の外周壁の内側面中間位置に、内側窪み部２２Ｃが２ヶ所ずつで４ヶ所設けられ、内側窪み部２２Ｃが設けられた外周壁の外側面には、係止凹部２２Ｅが設けられており、上記内側窪み部２２Ｃそれぞれに上ケース２１の位置決め突起２１Ｄが嵌り込んで操作機能部が収容体２２の凹部内で位置決めされて、操作機能部が収容体２２と一体になされている。
【００４５】
これにより、操作機能部が収容体２２と一体化された一つの部品として扱えるため、取り扱いを容易にできる。
【００４６】
なお、この操作機能部が収容体２２の凹部内に組み合わされた状態で鍔状部２２Ａの上面は、カバー７の上面位置から僅かに上方位置となるようになされている。また、操作機能部を構成する下ケース１に下方に向けて突設された位置決めボス１Ｃは、図１に示すように、収容体２２の内底面に設けられたボス用窪み２２Ｄに嵌っている。
【００４７】
２３は図示しない所定の配線パターンが設けられ、一端が略矩形の部品実装部２３Ａで導出部２３Ｂを介して他端にコネクタ５５が実装されたＦＰＣ２３で、部品実装部２３Ａの中央に被押圧部５３Ａを備えたプッシュスイッチ５３が実装され、そのプッシュスイッチ５３を囲むように所定距離離れた等角度位置の４ヶ所に磁界の変化を検出する検出素子５２が実装されている。この検出素子５２の実装位置は、操作機能部のローラ３の一端に備えられた各磁石４の下方位置にそれぞれ対応しており、これら検出素子５２で検出機能部を構成している。
【００４８】
２４は上記ＦＰＣ２３の部品実装部２３Ａを凹状の収容部内底面に収納状態にした絶縁樹脂製の箱型の取付台で、一つの側壁の一部が切り欠かれた導出口２４Ｂになされ、その導出口２４ＢからＦＰＣ２３の導出部２３Ｂおよびコネクタ５５側が外方に導出されている。これにより、検出機能部の信号を取付台２４の外方へ容易に導出することができ、接続先となる図示しない回路との接続が容易にできる。また、収容部を構成する対向する１組の側壁の内面に係止突起２４Ａがそれぞれ設けられている。
【００４９】
そして、取付台２４の収容部内に配されたＦＰＣ２３の部品実装部２３Ａ上には、収容体２２の鍔状部２２Ａ下面位置から下方部分が収納状態になされ、鍔状部２２Ａ下面は取付台２４の側壁上面に当接している。ここで、収容体２２の外側壁に設けられた係止凹部２２Ｅに取付台２４の係止突起２４Ａが係止状態になされ、操作機能部と一体になった収容体２２、およびＦＰＣ２３を収納した取付台２４が全体として一体に組み合わされてジョグボールが構成されている。
【００５０】
なお、図６に示すように、取付台２４の側壁が切り欠かれて設けられたＦＰＣ２３用の導出口２４Ｂには、その導出口２４Ｂの大きさに対応させて収容体２２の外側壁に設けられた外側突部２２Ｆが嵌り込み、操作機能部を収容した収容体２２と取付台２４との一体化を確実にすると共に、導出口２４Ｂ部分でＦＰＣ２３の導出部２３Ｂが上方に向けて折れ曲がらないように外方に位置したＦＰＣ２３部分を安定させている。
【００５１】
このように、収容体２２の外側壁に設けた係止凹部２２Ｅに、ＦＰＣ２３の検出機能部を収容した取付台２４の側壁内面に設けた係止突起２４Ａを係合することにより、ジョグボールの構成部材である操作機能部と検出機能部とを所定間隔を維持して一体化したので、ジョグボールの構成部材全てを一つの部品として扱え、取り扱いが容易である。
【００５２】
次に、図１により、ジョグボールの防滴構造が適用された電子機器について説明する。
【００５３】
７２は電子機器内に配された押さえ板で、その押さえ板７２の上にジョグボールが位置している。７１は所定位置に円形の開口部７１Ａが設けられた電子機器の筐体で、その開口部７１Ａを囲むように筐体７１の外周下面に溝部７１Ｂが周設されている。
【００５４】
ジョグボールは、カバー７の上面が筐体７１の下面に当接するように押さえ板７２により所定位置に保持されて、筐体７１の開口部７１Ａからボール５を露出しており、この保持状態で収容体２２の鍔状部２２Ａは、取付台２４の外周壁上面と筐体７１の下面との間で僅かに圧縮され、かつ鍔状部２２Ａ上面の突部２２Ｂが筐体７１下面の溝部７１Ｂに嵌り込んだ状態に係合されて、密着挟持されている。
【００５５】
なお、ＦＰＣ２３の図示しない方向に導出された導出部２３Ｂ先端に実装されたコネクタ５５は、電子機器の所定の電気回路と接続されており、検出機能部の信号導出および上記所定の電気回路との接続において多少の位置ズレ等が生じていても接続が容易で、確実にできる。
【００５６】
以上のようにジョグボールは電子機器に搭載されており、そのジョグボールの動作においては、従来のものはプッシュスイッチ５３と検出素子５２の動作が保護シート５４を介してなされるものであり、本実施の形態によるものは、弾性を有する収容体２２の底部を介してなされるものであるところが異なっているだけであり、従来のものと同様の動作であるので、説明を省略する。
【００５７】
このように電子機器に搭載されたジョグボールは、収容体２２の外周壁上端に周設された突部２２Ｂが、電子機器筐体７１の開口部７１Ａを囲むように設けられた下面の溝部７１Ｂに係合され、押さえ板７２により、下方から取付台２４の側壁上面が収容体２２の鍔状部２２Ａを筐体７１側に密着挟持しているため、収容体２２を境として筐体７１開口部７１Ａと繋がる外部と電子機器の内部とが仕切られ、開口部７１Ａから浸入した水滴等が内部の電気回路部分等に浸入することがない。
【００５８】
さらに、収容体２２の鍔状部２２Ａ上面は、電子機器に搭載されていない標準状態でカバー７の上面位置より僅かに高い位置となる寸法に設定されているため、カバー７の上面が筐体７１の下面に当接した状態になされると、収容体２２の外周壁上端に設けられた鍔状部２２Ａが、取付台２４の側壁上端面と筐体７１下面との間で圧縮状態になされることで、より密閉性を向上したものとなり、防滴性を確実にすることができる。
【００５９】
以上説明の電子部品はジョグボールを例としたが、本発明は、操作部が電子機器筐体の開口部から露出されて搭載される形態のものであれば他の電子部品を用いても良く、例えば、回転型あるいはスライド型の可変抵抗器やエンコーダ等を用いたものとしてもよい。
【００６０】
また、本実施の形態ではプッシュスイッチを備えた電子部品を例に説明したが、プッシュスイッチを備えていない構成の電子部品であっても良い。
【産業上の利用可能性】
【００６１】
本発明による電子部品の防滴構造は、操作部を露出させた開口部から浸入する水滴等が電子機器内部の電気回路部分に浸入することを防止することができ、主に携帯電話やＰＤＡ等に代表されるような各種電子機器等に有用である。
【符号の説明】
【００６２】
１  下ケース
１Ａ  円形孔
１Ｂ，２１Ｂ  突出部
１Ｃ  位置決めボス
１Ｄ  係止突起
１Ｅ  係止段部
２  板バネ
２Ａ  押圧部
３  ローラ
４  磁石
５  ボール
７  カバー
８  第一脚部
８Ａ  貫通角孔
９  第二脚部
９Ａ  係止爪
２１  上ケース
２１Ａ  上方円形孔
２１Ｃ  鉤状部
２１Ｄ  位置決め突起
２２  収容体
２２Ａ  鍔状部
２２Ｂ  突部
２２Ｃ  内側窪み部
２２Ｄ  ボス用窪み
２２Ｅ  係止凹部
２２Ｆ  外側突部
２３  ＦＰＣ
２３Ａ  部品実装部
２３Ｂ  導出部
２４  取付台
２４Ａ  係止突起
２４Ｂ  導出口
５２  検出素子
５３  プッシュスイッチ
５３Ａ  被押圧部
５５  コネクタ
７１  筐体
７１Ａ  開口部
７１Ｂ  溝部
７２  押さえ板
【図１】
0005459082.tif 000002
【図２】
0005459082.tif 000003
【図３】
0005459082.tif 000004
【図４】
0005459082.tif 000005
【図５】
0005459082.tif 000006
【図６】
0005459082.tif 000007
【図７】
0005459082.tif 000008
【図８】
0005459082.tif 000009
【図９】
0005459082.tif 000010
【図１０】
0005459082.tif 000011
【図１１】
0005459082.tif 000012